(57)【特許請求の範囲】
【請求項１】
上ケースと蓋のそれぞれに軸穴を設け、それらの軸穴に支軸を通して、該上ケースに対して該蓋を開閉自在に設ける水道メータにおいて、
前記支軸を、前記上ケースと前記蓋の両方の軸穴に余裕をもって通し、前記軸穴の一側から挿入して前記軸穴の他側に突き当てる構成とし、
該支軸を突き当てる突き当て部分を薄肉とする一方、前記軸穴の一側の穴縁をつぶして、前記軸穴に挿入した前記支軸を抜け止めしてなる、水道メータ。
【請求項２】
上ケースと蓋のそれぞれに軸穴を設け、それらの軸穴に支軸を通して、該上ケースに対して該蓋を開閉自在に設ける水道メータにおいて、
前記支軸を、前記上ケースと前記蓋の両方の軸穴に余裕をもって通し、前記軸穴の一側から挿入して前記軸穴の他側に突き当てる構成とし、
該支軸を突き当てる突き当て部分を薄肉とする一方、前記軸穴の一側に、前記支軸を挿入するとき弾性変形して挿入可能とし、挿入後は復帰して該支軸を抜け止めする弾性片を設けてなる、水道メータ。
【請求項３】
該支軸を突き当てる突き当て部分に目印を設けてなる、請求項１または２に記載の水道メータ。
【発明の詳細な説明】
【０００１】
【発明の属する技術分野】
この発明は、水道水の通過流量を測定して積算表示する水道メータに関する。
【従来の技術】
【０００２】
従来、図１に示すように、上ケース１と蓋２のそれぞれに、軸穴３および４を設け、それらの軸穴３および４に支軸５を通して、上ケース１に対して蓋２を開閉自在に設ける水道メータが知られている。そして、この従来の水道メータでは、丸リベット型の支軸５を、両方の軸穴３および４に余裕をもって通し、その後、支軸５の挿入側先端５ａを、つぶして抜け止めしてなる。
【０００３】
【発明が解決しようとする課題】
しかしながら、この従来の水道メータでは、前記丸リベット型の支軸５の先端５ａをつぶす際に、支軸５自体が曲がってしまい、蓋２の開閉に支障をきたすという問題があった。また、一旦支軸５の先端５ａをつぶしてしまうと、この支軸５を抜き取って蓋２を取り外して取替えることが難しいという問題もあった。
【０００４】
この発明の課題は、蓋の開閉に支障をきたさず、しかも蓋が容易に外れず、さらに蓋の取り外し時の利便性にも優れた水道メータを提供することにある。
【０００５】
【課題を解決するための手段】
そのため、請求項１に記載の発明は、上ケースと蓋のそれぞれに軸穴を設け、それらの軸穴に支軸を通して、該上ケースに対して該蓋を開閉自在に設ける水道メータにおいて、
前記支軸を、前記上ケースと前記蓋の両方の軸穴に余裕をもって通し、前記軸穴の一側から挿入して前記軸穴の他側に突き当てる構成とし、
該支軸を突き当てる突き当て部分を薄肉とする一方、前記軸穴の一側の穴縁をつぶして、前記軸穴に挿入した前記支軸を抜け止めしてなる、ことを特徴とする。
【０００７】
請求項２に記載の発明は、上ケースと蓋のそれぞれに軸穴を設け、それらの軸穴に支軸を通して、該上ケースに対して該蓋を開閉自在に設ける水道メータにおいて、
前記支軸を、前記上ケースと前記蓋の両方の軸穴に余裕をもって通し、前記軸穴の一側から挿入して前記軸穴の他側に突き当てる構成とし、
該支軸を突き当てる突き当て部分を薄肉とする一方、前記軸穴の一側に、前記支軸を挿入するとき弾性変形して挿入可能とし、挿入後は復帰して該支軸を抜け止めする弾性片を設けてなる、ことを特徴とする。
【００１０】
請求項３に記載の発明は、請求項１または２に記載の水道メータにおいて、該支軸を突き当てる突き当て部分に目印を設けてなる、ことを特徴とする。
【００１１】
【発明の実施の形態】
次に、この発明の実施の形態を図面にしたがって詳細に説明する。
図２および図３は、それぞれ、この発明を適用する水道メータの外観を示す正面図および平面図である。
【００１２】
この例の水道メータ６では、本体ケース７に上ケース１を載せ、シール部材８でシールする。
【００１３】
この本体ケース７には、水が流入する流入口７ａ、水が流出する流出口７ｂ、不図示の、羽根車を有する計量部、ギア列を有する回転伝達部、および針等を備える表示部を設ける。
【００１４】
この表示部の真上に、異物の混入を防止し、表示が見えるように、透明のガラスを、上ケース１をネジ付けることにより固定して設ける。
【００１５】
さらに、このガラスを保護するために、上ケース１の上に、蓋２を設ける。
通常、上ケース１は金属、蓋２は樹脂で製造される。
図４は、その上ケース１および蓋２の断面図である。
【００１６】
この水道メータ６においては、水は流入口７ａから流入し、流出口７ｂから流出する。まず、水道メータ６に流入した水が、計量部で、その通過する水の流量に応じて羽根車を回転させる。
【００１７】
そして、この羽根車の回転を、回転伝達部のギア列で減速し、その減速した回転を表示部へと伝達する。表示部では、この回転伝達部を介して減速した回転で針等を回して、針等でその流量を積算表示する。
【００１８】
ところで、蓋２の、上ケース１への取り付けは、図５に示すようにして行う。
上ケース１には、上部外周の一部を外向きに突出して凸部９を形成し、その凸部９に軸穴３を設ける。
【００１９】
一方、蓋２には、同様に外周の一部を外向きに突出して突部１０を形成し、その突部１０に下向き凹部１１を設け、その凹部１１の両側に軸線を同じくする軸穴４を設ける。
【００２０】
そして、蓋２の凹部１１に、上ケース１の凸部９を挟み入れて、上ケース１上に蓋２を被せて、軸穴３・４を同一軸線上とし、それらの軸穴３・４に、一方の軸穴４の外側から支軸５を挿入する。
【００２１】
図６には、その蓋取り付け部の部分断面を示す。
【００２２】
支軸５は、上ケース１の軸穴３には余裕をもって通すが、蓋２の軸穴４には圧入する。そして、支軸５で、その支軸５を中心として上ケース１に対して蓋２を開閉自在に取り付ける。
【００２３】
上記した例では、上ケース１の凸部９を蓋２の下向き凹部１１に挿入したが、反対に蓋２に設けた突部を上ケース１に設けた上向き凹部に挿入してもよい。
【００２４】
また、支軸５を、上ケース１の軸穴３と、蓋２の軸穴４の両方に余裕をもって通し、穴縁をつぶして支軸５を抜け止めしてもよい。
【００２５】
上記した例では、支軸を一方の軸穴に圧入したり、穴縁をつぶしたりしたが、図７に示すようにしてもよい。
【００２６】
この例では、図７に示すように、上ケース１の軸穴３と、蓋２の軸穴４の両方を、支軸５を余裕をもって通すように構成し、かつ、蓋２の軸穴４の入口に、弾性片１２を設ける。
【００２７】
この弾性片１２は、図８の蓋取り付け部の部分拡大説明図に示すように、支軸５を挿入するときには一点鎖線で示すように弾性変形して挿入可能とし、また、挿入後は実線で示すように復帰して、挿入した支軸５を抜け止めする。
【００２８】
この弾性片１２は、蓋２の軸穴４の入口に、図８のように1ヶ所設ける場合に限らず、数カ所設けることもできる。
【００２９】
上記のように、穴縁をつぶしたり、穴縁に弾性片１２を設けるときは、たとえば図９に示すように、支軸５を軸穴の一側から挿入して他側の突き当て部分１３に突き当てる構成とする。
【００３０】
また、この場合、蓋２を故意に取り外すと、支軸５の抜き取りに伴ない、突き当て部分１３が破壊されるから、この突き当て部分１３の破壊状況をみて、蓋２を故意に取り外したか否かを判断できる。
【００３１】
そして、その支軸５を突き当てる突き当て部分１３を、図９に示すように、薄肉としてもよい。これにより、修理の必要性等により蓋２を取り外すときには、この突き当て部分１３を容易に破壊して、支軸５を抜き取ることができる。
【００３２】
さらに、突き当て部分１３の破壊時に、その軸穴の位置が分かるように、この突き当て部分１３に、目印を設けてもよい。
【００３３】
たとえば、図１０に示すように、この突き当て部分１３に、小穴１４を設けたり、図１１に示すように、この突き当て部分１３に、スリット溝１５を設けたりすることができる。これらの小穴１４やスリット溝１５を設けることにより、前記の目印となる他、蓋２の交換時に突き当て部分１３を容易に破壊することもできるようになる。
【００３４】
この発明によれば、蓋の開閉に支障をきたさず、しかも蓋が容易に外れず、さらに蓋の取り外し時の利便性にも優れた水道メータを得ることができる。
【００３５】
また、支軸を軸穴の一側から挿入して他側に突き当てるから、支軸を挿入した側のみを抜け止めすればよく、蓋が容易に外れない水道メータを簡易に得ることができる。
【００３６】
また、この場合には、蓋を故意に取り外したか否かを、突き当て部分の破壊状況により、把握することもできる。
【００３７】
加えて、突き当て部分を薄肉とするから、修理の必要等により蓋を取り外すときには、この突き当て部分を容易に破壊して、支軸を抜き取ることができる。
【００３８】
請求項３に係る発明によれば、突き当て部分に目印を設けるから、突き当て部分の破壊時に、その目印により、その軸穴の位置が分かりやすくなり、蓋の取り外し時の利便性が高くなる。
【図面の簡単な説明】
【図１】従来の水道メータの蓋取り付け部の部分断面図である。
【図２】この発明を適用する水道メータの外観を示す正面図である。
【図３】その平面図である。
【図４】その上ケースおよび蓋の断面図である。
【図５】その蓋の、上ケースへの取り付けを示す斜視説明図である。
【図６】その蓋取り付け部の部分断面図である。
【図７】蓋取り付け部の他の例の部分断面図である。
【図８】その蓋取り付け部の部分拡大説明図である。
【図９】さらに他の例の蓋取り付け部で用いる蓋の断面図である。
【図１０】またさらに他の例の蓋取り付け部で用いる蓋の断面図である。
【図１１】またさらに他の例の蓋取り付け部で用いる蓋の断面図である。
【符号の説明】
１    上ケース
２    蓋
３    軸穴
４    軸穴
５    支軸
６    水道メータ
７    本体ケース
８    シール部材
９    凸部
１０  突部
１１  下向き凹部
１２  弾性片
１３  突き当て部分
１４  小穴
１５  スリット溝
【図１】
0004408479.tif 000002
【図２】
0004408479.tif 000003
【図３】
0004408479.tif 000004
【図４】
0004408479.tif 000005
【図５】
0004408479.tif 000006
【図６】
0004408479.tif 000007
【図７】
0004408479.tif 000008
【図８】
0004408479.tif 000009
【図９】
0004408479.tif 000010
【図１０】
0004408479.tif 000011
【図１１】
0004408479.tif 000012